Podtech/llm-jp-corpus-v4-ja_patent huggingface dataset:
(57)【要約】 【課題】  コードレス電話機の充電を行う際に、充電用接点に手の油脂や埃・ゴミなどの汚れが付着し形成された皮膜により接触不良をおこし、充電不良が発生することを防止する充電用接点の自助クリーニング構造を提供することを課題としている。【解決手段】  コードレス電話機１０を充電台１５に載置して充電を行う際に、充電台１５に一体的に形成され先端部にワイピング用突起を具備する弾性片１３がたわみ、充電用固定接点１４に接点閉成圧接前に接触し、充電用固定接点１４の接触表面部に付着した手の油脂や埃・ゴミなどの汚れが付着し形成された皮膜などをかき落とす。【選択図】 図１
0003124613.tif 000002
【実用新案登録請求の範囲】
【請求項１】
充電用固定接点を有する子機と、対向する可動ばね接点を有する充電台とで構成され、両接点の圧接時に充電を行うコードレス電話装置であって、前記充電台の接点開閉圧接部の上部に充電台と一体で形成する、先端部にワイピング用突起を具備する弾性片を設け、前記子機には、充電台載置時に充電台側の前記弾性片の先端突起部と対応する部位に、前記先端突起部を収容する凹状窪みを設けることを特徴とした充電用接点の自助クリーニング構造。
【考案の詳細な説明】
【技術分野】
【０００１】
本考案は、コードレス電話機における充電用固定接点の接触表面部の自助クリーニング構造に関するものである。
【背景技術】
【０００２】
従来、コードレス電話機の子機は、充電用固定接点を有している。この充電用固定接点の接触表面部は、コードレス子機を持って操作あるいは通話する際に手の油脂や埃・ゴミなどの汚れなどが付着し皮膜が形成され、コードレス子機を充電台に戴置し充電を行う際に、充電用固定接点と充電台に設けた充電用可動接点との間で接触不良をおこし充電不良の問題が発生する。このような問題を解決するため例えば特開平０８−０９７８９０で示されるように可動接点と固定接点とが互いに圧接した状態に摺擦し、この摺擦により可動接点と固定接点とが清掃されて常時良好な接触関係を保持することが提案されている。
【考案の開示】
【考案が解決しようとする課題】
【０００３】
このような、従来例のコードレス電話機における清掃方法では、金属製の端子同士を摺擦しているため接点の表面接触部の磨耗が激しくなってしまう恐れがある。
【０００４】
本考案は、このような従来の問題点を解決するものであり、コードレス子機を充電台に載置する際に、手の油脂や埃・ゴミなどの汚れによる皮膜などが付着した充電用固定接点の接触表面部を接点閉成圧接前に事前ワイピングすることにより、充電不良の発生を防止し、接点の接触表面部の磨耗が少ない、コードレス電話機における充電用固定接点の自助クリーニング構造を提供することを目的とする。
【課題を解決するための手段】
【０００５】
この目的を達成するために、本考案の充電用接点の自助クリーニング構造は、充電台の接点開閉圧接部の上部に、充電台と一体で形成する、先端部にワイピング用突起を具備する弾性片を設け、更に前記子機には、充電台載置時に充電台側の前記弾性片の先端突起部と対応する部位に、前記先端突起部を収容する凹状窪みを設けることを特徴とする。
【考案の効果】
【０００６】
したがって、本考案の充電用固定接点の自助クリーニング構造によれば、部品点数を増やすことなく、コードレス子機を充電台に載置する際に、充電台の接点開閉圧接部の上部に設けた、充電台上筐体と一体的に成形された先端部にワイピング用突起を具備する弾性片が、接点閉成圧接前にこの先端突起部にて、手の油脂や埃・ゴミなどの汚れによる皮膜などが付着した充電用固定接点の表面接触部に接触し事前ワイピングするため、充電不良が低減するという効果を有する。また、充電台上筐体と一体的に成形されたばね性を有する非金属性突起によって充電用固定接点に接触し清浄するため充電用固定接点の表面接触部の磨耗が少なくなる効果がある。
【考案を実施するための最良の形態】
【０００７】
以下、本考案の充電用固定接点の自助クリーニング構造の実施例について図面をもとに説明する。
【０００８】
図１は実施例の構成を示し、コードレス子機を充電台に移動させ始める状態の断面図である。矢視Ａは、先端部にワイピング用突起を具備する弾性片１３の形状を示す。また、図１ａにおいてＤ１はコードレス子機１０の全長を示し、Ｄ２は充電台受話部側面１７と、子機非載置時で、先端部にワイピング用突起を具備する弾性片１３に負荷がかからない状態における先端突起部との間の寸法を示す。
【０００９】
Ｄ２寸法はＤ１寸法よりも小さいため、コードレス子機１０を充電台１５に載置する際、図１から図２の位置への移動時に、先端部にワイピング用突起を具備する弾性片１３が充電台１５の内側にたわみ、その反力によってコードレス子機１０を充電台受話部側面１７方向に押さえ付ける。先端部にワイピング用突起を具備する弾性片１３は、充電用固定接点１４に接点閉成圧接前に接触し、充電用固定接点１４の接触表面部に付着した油脂や埃・ゴミなどの汚れによる皮膜などをかき落とす。
【００１０】
また、図３の位置に移動させる間に、先端部にワイピング用突起を具備する弾性片１３の先端突起部は突起収容部１２に収容されることで、弾性片の変位がなくなりコードレス子機１０を充電台受話部側面１７方向に押し付ける力が無くなるので、充電用可動ばね接点１６が事前ワイピングされた充電用固定接点１４に接触し充電が開始される。
【図面の簡単な説明】
【００１１】
【図１】コードレス子機を充電台に移動させ始める状態の断面図
【図１ａ】コードレス子機と充電台の寸法図
【図２】先端部にワイピング用突起を具備する弾性片が充電用固定接点に接触を始める状態の断面図
【図３】コードレス子機を充電台に載置完了した状態の断面図
【符号の説明】
【００１２】
１０  コードレス子機
１１  子機受話部端面
１２  突起収容部
１３  先端部にワイピング用突起を具備する弾性片
１４  充電用固定接点
１５  充電台
１６  充電用可動ばね接点
１７  充電台受話部側面
【図１】
0003124613.tif 000003
【図１ａ】
0003124613.tif 000004
【図２】
0003124613.tif 000005
【図３】
0003124613.tif 000006
(57)【要約】【課題】フレキシブルプリント基板材料に歪みやシワ等を与えることなく円筒形の巻芯からコイル巻きされたフレキシブルプリント基板材料を巻きほぐして取り出し、また、巻きほぐされたフレキシブルプリント基板材料を巻芯に巻き戻す為の好適なコイル巻き芯着脱装置を提供する。【解決手段】支持架台上に回転円盤を回転自在に設置し、この回転円盤には、フレキシブルプリント基板材料を巻きほぐし、また、巻き戻す為の巻芯を着脱可能に設ける。この装置を使用することにより、フレキシブルプリント基板材料に歪みやシワ等を与えることなく良好なフレキシブルプリント基板材料を製作することができる。【選択図】  図１
0003124622.tif 000002
【実用新案登録請求の範囲】
【請求項１】
支持架台上に回転円盤を回転自在に設置し、前記回転円盤には、フレキシブルプリント基板材料を巻きほぐし、また、巻き戻す為の巻芯を着脱可能に設けたことを特徴とするコイル巻き芯着脱装置。
【考案の詳細な説明】
【技術分野】
【０００１】
本考案は、フレキシブルプリント基板材料に歪みやシワ等を与えることなく円筒形の巻芯からコイル巻きされたフレキシブルプリント基板材料を巻きほぐして取り出し、また、巻きほぐされたフレキシブルプリント基板材料を巻芯に巻き戻す為のコイル巻き芯着脱装置に関する。
【背景技術】
【０００２】
ポリイミド樹脂等の長尺フィルムに金属箔を貼りあわせてフレキシブルプリント基板材料を製作するには、先ず長尺フィルム上に接着剤を塗布して長尺金属箔を貼りあわせた後、加熱して接着剤を硬化させるキュア工程が採用される。このキュア工程ではフレキシブルプリント基板材料をコイル状に巻かれた状態で行われる。
【０００３】
フレキシブルプリント基板材料をコイル状に巻く巻芯は、加熱すると膨張し、フレキシブルプリント基板材料は収縮する。この為、そのまま加熱するとフレキシブルプリント基板材料に歪みやシワが生じてしまう。近年は屈曲性の良好な薄いフレキシブルプリント基板材料が使用されるので、歪みやシワが特に顕著に生じてしまう。この為、フレキシブルプリント基板材料をコイル状に巻いた後、巻芯を取り外してから加熱する必要がある。
【０００４】
コイル巻きされた製品を巻芯から取り出す方法については、圧延の分野で行われている。これは、図４の（ａ）のように巻芯がセグメント１０に分割された状態で製品１１を巻き取り、また、同図（ｂ）の如くセグメント１０を内側にずらすことにより巻芯の径を縮小して、コイル巻きされた製品１１を取り出す。
【０００５】
しかし、フレキシブルプリント基板材料は前記のように薄いため、このような装置を使用すると、同図（ｃ）のように、巻き取る際にセグメント１０の角１２にフレキシブルプリント基板材料が当たって折れやシワが生じる。この為、フレキシブルプリント基板材料をコイル状に巻く場合は、円筒形の巻芯に巻く必要があるが、一旦円筒形の巻芯に巻かれると、フレキシブルプリント基板材料の取り出しが容易ではなかった。
【特許文献１】実開昭４８−０１７４２４号公報
【考案の開示】
【考案が解決しようとする課題】
【０００６】
そこで、本考案は、フレキシブルプリント基板材料に歪みやシワ等を与えることなく円筒形の巻芯からコイル巻きされたフレキシブルプリント基板材料を巻きほぐして取り出し、また、巻きほぐされたフレキシブルプリント基板材料を巻芯に巻き戻す為の簡便なコイル巻き芯着脱装置を提供する。
【０００７】
その為に本考案のコイル巻き芯着脱装置では、支持架台上に回転円盤を回転自在に設置し、この回転円盤には、フレキシブルプリント基板材料を巻きほぐし、また、巻き戻す為の巻芯を着脱可能に設けたものである。
【考案の効果】
【０００８】
本考案のコイル巻き芯着脱装置を使用すると、フレキシブルプリント基板材料に歪みやシワ等を与えることなく円筒形の巻芯からコイル巻きされたフレキシブルプリント基板材料を巻きほぐして取り出し、また、巻きほぐされたフレキシブルプリント基板材料を巻芯に確実に巻き戻すことができる。
【考案を実施するための最良の形態】
【０００９】
図１は、本考案に係るコイル巻き芯着脱装置の概念的構成図を示し、この装置は、支持架台１上にモ−タ−２で駆動される回転円盤３を回転自在に設置してある。そして、この回転円盤３には、フレキシブルプリント基板材料６を巻きほぐし、また、巻き戻す為の円筒形の巻芯５をチャック４を用いて着脱可能に設けている。
【００１０】
この装置を使用してフレキシブルプリント基板材料６を巻きほぐすには、図２（ａ）のように、先ず、巻芯５にコイル巻きされたフレキシブルプリント基板材料６を回転円盤３に載せ、巻芯５をその内径部分でチャック４により固定する。次に、フレキシブルプリント基板材料６の巻き始め７をゆるめてこの基板材料６の外側にテ−プ等を用いて固定する。
【００１１】
そこで、同図（ｂ）のように回転円盤３を反時計方向に回転させると、フレキシブルプリント基板材料６は遠心力で巻きほぐされていくので、その巻きほぐしが終了した段階で、同図（ｃ）のように巻きほぐされたフレキシブルプリント基板材料６を巻芯５から取り出す。
【００１２】
また、フレキシブルプリント基板材料６を巻き戻すには、図３（ａ）のように巻きほぐされたフレキシブルプリント基板材料６と巻芯５を回転円盤３に載せ、巻芯５は前記同様にチャック４で固定する。そして、同図（ｂ）の如く、フレキシブルプリント基板材料６の巻き始め８を巻芯５の外側にテ−プ等で固定しておく。
【００１３】
この状態で、同図（ｃ）のように回転円盤３を時計方向に回転させると、フレキシブルプリント基板材料６は遠心力で巻き戻されていくので、巻き戻されたフレキシブルプリント基板材料６を巻芯５ごと取り出す。
【図面の簡単な説明】
【００１４】
【図１】本考案によるコイル巻き芯着脱装置の概念的構成図。
【図２】フレキシブルプリント基板材料の巻きほぐしの説明図。
【図３】フレキシブルプリント基板材料の巻き戻しの説明図。
【図４】従来装置の問題点を説明する図。
【符号の説明】
【００１５】
１  支持架台
２  モ−タ−
３  回転円盤
４  チャック
５  巻芯
６  フレキシブルプリント基板材料
【図１】
0003124622.tif 000003
【図２】
0003124622.tif 000004
【図３】
0003124622.tif 000005
【図４】
0003124622.tif 000006
(57)【要約】      （修正有）【課題】アンカーボルト設置部に集中するワイヤーロープ交差部の締結とアンカーボルトとワイヤーロープの連結を可能とするダブル交点プレートを提供する。【解決手段】連結金具のプレート上にワイヤーロープ固定用のＵボルトをアンカーボルト設置部で交差するワイヤーロープの交差本数に合わせ取り付ける構造とした。【選択図】図１
0003124606.tif 000002
【実用新案登録請求の範囲】
【請求項１】
落石防護工のワイヤーロープ掛工におけるアンカーとワイヤーロープの連結を目的とする金具において、アンカー設置点で交差する４本のワイヤーロープを２ケのＵボルトで同一プレート上に締結する構造とした金具。
【考案の詳細な説明】
【技術分野】
【０００１】
土木工事の落石対策工の落石防護工に使用する。
【背景技術】
【０００２】
落石防護工のワイヤーロープ掛工はアンカーボルトとワイヤーロープを組合せ、落石を防止するものである。アンカーボルトからアンカーボルトへワイヤーロープを張り巡らし、ワイヤーロープの張力で落石の転落を阻止して道路災害を防止する。しかし、アンカーボルトの施工間隔が広いと落石がもれ落ち、逆に狭いと不経済である。そこでアンカーボルトとアンカーボルトの間に補助のワイヤーロープを架設し、落石の漏れ落ちを防止している。
【考案の開示】
【考案が解決しようとする課題】
【０００３】
従来、ワイヤーロープはアンカーボルトの設置部で交わりアンカーボルトと連結されるので２本のワイヤーロープを固定して、アンカーボルトと連結されていた。しかし、落石の漏れ落ちを防止する為の補助ワイヤーロープもアンカーボルト設置部を経由する構造とした場合、アンカーボルト設置部で多数のワイヤーロープが交差することとなり、従来のアンカーボルト設置部に使用されているアンカーボルトとワイヤーロープの連結金具では対処できない。
【課題を解決するための手段】
【０００４】
本案は連結金具のプレート上にワイヤーロープ固定用のＵボルトをアンカーボルト設置部で交差するワイヤーロープの交差本数に合わせ取り付ける構造とした。
【考案の効果】
【０００５】
アンカーボルト設置部で交差する３本以上のワイヤーロープを１箇所で固定するとワイヤーロープ間の隙間が大きくなり締結強度が著しく損なわれる。本案はワイヤーロープの交差本数に合わせＵボルトを取り付ける構造としたことでワイヤーロープの締結強度が安定する。
【図面の簡単な説明】
【０００６】
【図１】本案の平面図
【図２】本案の側面図
【図１】
0003124606.tif 000003
【図２】
0003124606.tif 000004
(57)【要約】      （修正有）【課題】風味高く好ましい食感をもち、しかも、より栄養価の高い豆腐を提供する。【解決手段】  豆腐本体１あるいは、充填豆腐１′に、味付けをせずに蒸した一定の大きさの大豆を、豆腐一丁に対して１〜３粒の大豆２を粒のまま、あるいは粒状に砕いた大豆粒２ａを、適宜量混ぜたことを特徴とする豆腐であり、大豆を入れる時は、豆乳に苦汁を混ぜ合わせ、凝固箱に入れる際に、振りかけながら入れて、同時に凝固させるものである。【選択図】図１
0003124656.tif 000002
【実用新案登録請求の範囲】
【請求項１】
豆腐本体（１）に、味付けをせずに蒸した一定の大きさの大豆を、豆腐一丁に対して１〜３粒の大豆（２）を粒のまま、あるいは粒状に砕いた大豆粒（２ａ）を、適宜量混ぜたことを特徴とする豆腐。
【請求項２】
充填豆腐（１′）に、味付けをせずに蒸した一定の大きさの大豆を、豆腐一丁に対して１〜３粒の大豆（２）を粒のまま、あるいは粒状に砕いた大豆粒（２ａ）を、適宜量混ぜたことを特徴とする豆腐。
【考案の詳細な説明】
【技術分野】
【０００１】
この考案は、豆腐に関するものである。
【背景技術】
【０００２】
従来、豆腐は、日本人にとって、朝・昼・晩の三食に渡って古くより親しまれた食品であり、暑い時期には冷奴として、寒い時期には鍋物に入れる等オールシーズンに渡って食することができ、また、栄養的には、植物性蛋白質が多く含まれた食品であり、動物性蛋白質に比べて、日本人にとっては体に大変よいヘルシーな食品である。
【０００３】
そして、この豆腐は、水に浸漬した大豆を煮て、豆乳を搾り、この豆乳に苦汁（にがり）を加えて凝固させることにより製造されている。
【０００４】
その種類は、型箱に入れた豆乳をそのまま凝固させて得られるなめらかな食感の所謂、「絹漉し豆腐」、布で漉して脱水しながら凝固させて得られるしっかりとした食感の所謂、「木綿豆腐」が一般的に製造されている。
【考案の開示】
【考案が解決しようとする課題】
【０００５】
そこで、この考案は、種々多様な食品が豊富に出回っている現在、従来の豆腐では食材としての多様性に欠け、そこで本考案者は、豆腐の改良に鋭意研究を重ね本考案をするに至った。
【０００６】
本考案は上記のような実状に基づいてなされたものであり、従来消費者が経験したことのない風味高く、好ましい食感をもち、しかも、より栄養価の高い豆腐を提供することを目的とするものである。
【課題を解決するための手段】
【０００７】
この考案は、国内産大豆を用いて、味をつけずに圧力釜で蒸した大豆を使用し、一丁の豆腐の中に、圧力釜で煮た大豆をそのままか、あるいは、砕いた大豆を入れ、より風味の新たな豆腐を製造するものである。
【考案の効果】
【０００８】
本考案によると、一丁の豆腐、あるいは充填豆腐の中に、大豆がそのまま、あるいは粒状に砕いた大豆粒が入っており、豆腐だけのものとは、また、格別、異なった味がし、しかも、身体にもよい豆腐である等の極めて有益なる効果を奏するものである。
【考案を実施するための最良の形態】
【０００９】
そこで、この考案は、豆腐本体（１）に、圧力釜で蒸した一定の大きさの大豆（２）を、豆腐一丁に対して１〜３粒程度を、粒をそのまま、あるいは粒状に砕いた大豆粒（２ａ）を、適宜量混ぜたことを特徴とする豆腐から構成される。
【実施例】
【００１０】
次に、この考案の一実施例を図面に従って詳述すると、豆腐本体（１）に、味付けをせず、圧力釜で蒸した３〜７ｍｍの一定の大きさでない大豆（２）を、豆腐一丁に対して１〜３粒を粒をそのまま、あるいは粒状に粉砕した大豆粒（２ａ）を、適宜量混ぜたことを特徴とする豆腐から構成される。
【００１１】
尚、大豆を入れる時は、豆乳に苦汁を混ぜ合わせ、凝固箱に入れる際に、振りかけながら入れて、同時に凝固させるものである。
【００１２】
また、図３に示すように、充填豆腐（１′）に、味付けをせず、圧力釜で蒸した３〜７ｍｍの一定の大きさでない大豆（２）を、豆腐一丁に対して１〜３粒を粒をそのまま、あるいは粒状に粉砕した大豆粒（２ａ）を、適宜量混ぜて、充填豆腐にも応用してよいものである。
【産業上の利用可能性】
【００１３】
この考案は、この豆腐の製造技術を確立し、実施し、かつ、これらの材料を使用することにより、産業上の利用可能性を有する。
【図面の簡単な説明】
【００１４】
【図１】この考案の一実施例を示す斜視図である。
【図２】この考案の一実施例を示す断面図である。
【図３】この考案の他の実施例を示す斜視図である。
【符号の説明】
【００１５】
１  豆腐本体
１′充填豆腐
２  大豆
２ａ  大豆粒
【図１】
0003124656.tif 000003
【図２】
0003124656.tif 000004
【図３】
0003124656.tif 000005
(57)【要約】      （修正有）【課題】有効的に義歯の作製時間を短縮できる義歯の義歯根の構造の提供。【解決手段】義歯根４０は、底部に固定槽４２が形成され、上端に係止部４４が設置され、下端に径方向に外へ伸ばす円弧状基部４１があり、義歯の底端の頚部の代わりに利用される。【選択図】図４
0003124657.tif 000002
【実用新案登録請求の範囲】
【請求項１】
底部に、固定槽が形成され、上端に、係止部が設置された、下端に、径方向に外へ基部が伸ばし、義歯の底端の頚部の代わりに使用される、
ことを特徴とする義歯の義歯根構造。
【請求項２】
当該基部は、義歯に合わせる色々の形状であることを特徴とする請求項１に記載の義歯の義歯根構造。
【請求項３】
当該義歯根の底部の固定槽内に、複数の位置付けリブが設置されることを特徴とする請求項１に記載の義歯の義歯根構造。
【請求項４】
当該義歯根の上端に、複数の係止部が設置されることを特徴とする請求項１に記載の義歯の義歯根構造。
【考案の詳細な説明】
【技術分野】
【０００１】
本考案は、義歯の義歯根構造に関し、特に、底部に固定槽が形成され、上端に係止部が設置され、下端に径方向に外ヘ伸ばす円弧状基部があり、当該基部が、義歯の底端の頚部として利用できるものに関する。
【背景技術】
【０００２】
歯は、我々にとって、毎日使用しなければならない器官であり、当該歯に対して、日常的に清潔する必要があり、歯に齲歯現象が発生すると、修補ができない場合、抜かなければならなく、歯同士が緊密に並立するため、抜かれた歯による隙間を補填しないと、その隙間の左右に位置する歯が、揺るんでしまい、そのため、歯が存在した元の位置において歯移植を行い、一般の歯移植は、移植体１０を骨構造３０に植え込んで、歯台２０が、底部の固定槽２１を移植体１０の上端の橋脚歯１１に嵌合することにより固定され(図１、２を参照しながら)、医者が、まず、仮義歯２２を歯台２０の上に嵌合し、仮義歯２２の材質が、樹脂やアクリルであり、直接に病者の口腔において、型付き、そして、位置と高さを調整して、機能と快適度を追求し(図３を参照しながら)、しかしながら、仮義歯２２は、直接に手で型付き、底部に位置する歯齦３１の近くに、作業空間が狭くてやり難いため、作業時間が長くなり、病者に不快感を与え、そして、永久義歯の作製工程は、より複雑であるため、時間が掛かる。
【考案の開示】
【考案が解決しようとする課題】
【０００３】
本考案の主な目的は、作製時間を短縮できる義歯の義歯根構造を提供する。
【課題を解決するための手段】
【０００４】
本考案は、底部に固定槽が形成され、上端に係止部が設置され、下端に径方向に外へ伸ばす円弧状基部があり、移植体に実装された後、義歯の底端の頚部の代わりに使用される当該基部により、上端の噛み合い面を形成するだけで良い義歯の義歯根構造である。
【考案を実施するための最良の形態】
【０００５】
本考案は、図４を参照しながら、義歯の義歯根の構造であり、特に、当該義歯根４０は、底部に、複数の位置付けリブ４３を有する固定槽４２が形成され、上端に、複数の係止部４４が設置され、また、下端に、径方向に外へ円弧状基部４１が伸ばす。
【０００６】
当該義歯根４０の底部は、円弧状基部４１であり、使用する時、義歯の底端の頚部として利用でき、そのため、義歯の上半部の噛み合い面を形成するだけで良く、有効的に義歯の作製時間を短縮する。
【０００７】
図５を算用しながら、當移植体５０が、骨構造６０に植え込まれると、義歯根４０は、底部の固定槽４２により移植体５０の上端にある橋脚歯５１に嵌合し、また、固定槽４２内の位置付けリブ４３が、橋脚歯５１の位置付け部５２に係止することにより、移植体５０の上に固定され、この時、義歯根４０の下端にある円弧状基部４１が、歯齦６１を押出して、予めに永久の義歯の空間を保ち、医者が、仮義歯７０を作製する時、義歯根４０の底部が円弧状基部４１であるため、仮義歯７０の底端の頚部形状を提供できて、直接に、基部４１において、仮義歯７０の噛み合い面形状を形成でき(図６を参照しながら)、医者が、快速的に仮義歯７０の作業を行え、有効的に従来の仮義歯２２を歯齦３１に着けることが容易ではない欠点を改善でき(図３を参照しながら)、また、基部４１の上に設けられた係止部４４により、仮義歯７０が係止されて固定され、外力による脱落現象がない。
【０００８】
本考案に係わる義歯根４０の底部である基部４１は、異なる位置の仮義歯７０に合わせて、色々の異なるサイズや形状に作製できる。
【０００９】
本考案は、仮義歯７０の実装をより快速的にするため、予めに、色々のサイズの義歯根４０に合わせる異なるサイズである噛み合い部の仮義歯７０を作製できる。
【００１０】
当該義歯根４０は、永久義歯７１と同じ材質でもよく、本考案に係わる義歯根４０の径方向に外へ伸ばす円弧状基部４１を永久義歯７１の底端の頚部の代わりに利用すると、作業者が、永久義歯７１の上端の噛み合い面だけを作れば、基部４１の上に実装でき、その永久義歯７１の作製時間が、大幅に低減される(図７を参照しながら)。
【００１１】
以上のように、本考案に係わる義歯根４０は、義歯の底端の頚部の代わりに、底部の径方向に外へ伸ばす円弧状基部４１を利用することにより、有効的に義歯の作製時間を短縮できる。
【図面の簡単な説明】
【００１２】
【図１】従来の歯台立体図
【図２】従来の実装断面図(１)
【図３】従来の実装断面図(２)
【図４】本考案の立体外観図
【図５】本考案の実装断面図(１)
【図６】本考案の実装断面図(２)
【図７】本考案の他の実施例の実装断面図
【符号の説明】
【００１３】
１０          移植体
１１          橋脚歯
２０          歯台
２１          固定槽
２２          仮義歯
３０          骨構造
３１          歯齦
４０          義歯根
４１          基部
４２          固定槽
４３          位置付けリブ
４４          係止部
５０          移植体
５１          橋脚歯
５２          位置付け部
６０          骨構造
６１          歯齦
７０          仮義歯
７１          永久義歯
【図１】
0003124657.tif 000003
【図２】
0003124657.tif 000004
【図３】
0003124657.tif 000005
【図４】
0003124657.tif 000006
【図５】
0003124657.tif 000007
【図６】
0003124657.tif 000008
【図７】
0003124657.tif 000009
(57)【要約】【課題】  取り扱い易く、手首の保護・防寒を達成し、衛生的に汗を簡単に拭うことができるようにすることにある。【解決手段】  手袋部２の手首端に、手首を覆う、伸縮自在な筒状のリストバンド部３を一体延長設したことを特徴とする構成で、手袋部２とリストバンド部３とが一体連続しているので取り扱い易く、はめた状態でリストバンド部により適宜の力で締め付けられるため、重量物を把持してもずれてしまうことは無く、各種の作業がやり易く、常に手首はリストバンド部により覆われて保護されているので安全であり、手首の確実な防寒が果たされ、汗を簡単にリストバンド部で拭うことができ、衛生的である。【選択図】        図１
0003124668.tif 000002
【実用新案登録請求の範囲】
【請求項１】
手袋部（２）の手首端に、手首を覆う、伸縮自在な筒状のリストバンド部（３）を一体延長設したことを特徴とする手袋。
【考案の詳細な説明】
【技術分野】
【０００１】
本考案は、手袋とリストバンドとを一体にした手袋に関する。
【背景技術】
【０００２】
手袋、特に軍手は、防寒具としてはもとよりのこと、農作業や漁獲作業、建築作業、配線作業等の肉体労働の際に作業し易く、手を保護し、手に付く汚れを最小限に抑えることができる等、広い用途をもつものである。
【０００３】
処が上記したような肉体労働は、炎天下の屋外での作業が多いので汗をかき易く、そのため汗を拭うのにシャツの袖等を使用するとシャツが汚れるし、不潔である。別途にタオルや手拭を使用すれば良いのであるが、汚れた軍手でタオルを使用するとその汚れがタオルに付着してしまうので不都合であり、汗を拭うたびに軍手を外さなければならないようでは手間がかかる。この点、従来より用いられている所謂リストバンドであれば汗を拭うことができるが、リストバンドは、スポーツ用、装飾用として用いられる若者向きの製品であって実用性に乏しく、リング状の帯単体であるので、取り扱いが不便である。
【０００４】
また、従来の軍手は木綿製であることが多く、はめた際に手に対して緩めであるので、或る程度の重量物を持つ場合にずれ易く、手首が露出してしまうため、重量物の角が手首の急所部分を傷つける危険性もある。従って、軍手とリストバンドとを一体化することが望ましく、以下の如き従来技術が提案されてきた。
【特許文献１】実開平６−１６４２０号公報
【特許文献２】登録実用新案第３０８６１８９号公報
【特許文献３】登録実用新案第３０７５６２８号公報
【考案の開示】
【考案が解決しようとする課題】
【０００５】
しかしながら上記文献１は、手袋とリストバンドとが完全に一体ではなく、外した手袋をリストバンド内に収納するとしているが、別体であるため取り扱いが不便であり、紛失の危険性は解消されない。また、文献２では手袋とリストバンドの構成が示されているものの、リストバンドの機能について何ら開示されていない。更に文献３でのリストバンドは単に手首を保護し、手袋内に水が浸入しないようにするためのもので、汗拭いの機能についての開示はない。よって本考案は、上記従来の欠点不都合を解消するべく開発されたものであって、取り扱い易く、手首の保護・防寒を達成し、衛生的に汗を簡単に拭うことができるようにすることを目的とする。
【課題を解決するための手段】
【０００６】
上記課題を解決するため、本考案の手袋は、手袋部の手首端に、手首を覆う、伸縮自在な筒状のリストバンド部を一体延長設した構成を特徴とする。
【考案の効果】
【０００７】
よって、本考案の手袋では、手袋部にリストバンド部が一体連続しているので取り扱い易く、はめた状態でリストバンド部により適宜の力で締め付けられるため、重量物を把持してもずれてしまうことは無く、各種の作業がやり易く、常に手首はリストバンド部により覆われて保護されているので、安全である。
【０００８】
また、手首は、襟首、足首と共に寒気に敏感な箇所であるが、本考案ではリストバンド部により確実な防寒が果たされる。
【０００９】
そして、汗をかいたときに簡単にこのリストバンド部で拭うことができ、衛生的である等、本考案の手袋は多くの優れた作用効果を奏する。
【考案を実施するための最良の形態】
【００１０】
本考案の手袋１は、主として軍手用であって、五本の指と手のひら、及び手の甲を覆う手袋部２の手首端に、手首を覆うリストバンド部３を一体延長設した構成で、伸縮自在となるように筒状に編んだものである。
【実施例１】
【００１１】
手袋部２の手のひら側の指部には、例えばゴム片等による滑り止めシート４を付設すると良く、手袋部２の手の甲からリストバンド部３にかけては、模様や所定の宣伝広告を付しても良い。
【図面の簡単な説明】
【００１２】
【図１】本考案にかかる手袋の正面図である。
【符号の説明】
【００１３】
１  手袋
２  手袋部
３  リストバンド部
４  滑り止めシート
【図１】
0003124668.tif 000003
(57)【要約】      （修正有）【課題】裾、袖口、衿等のファッション性を向上させ、歩幅が制約されることが無く歩きやすく、しかも裾、袖口、衿等が擦れ難い着物を提供する。【解決手段】着物の襟部１から下方に伸びる褄下２の下側隅部２ａをなだらかに湾曲させて形成し、背面側の裾中央部にスリットを入れて歩きやすくした。また前記着物の前記着物の襟部１、褄下２及びその下側隅部２ａ、裾６、長袖の振り口３と袖口５等の開口部分、及び背面側の裾中央部スリットの全てか、または選択した何れかにレースまたはフリル等の装飾布を取り付けてデザイン性を現代的に向上させた。【選択図】図１
0003124666.tif 000002
【実用新案登録請求の範囲】
【請求項１】
着物の襟部（１）から下方に伸びる褄下（２）の下側隅部（２ａ）をなだらかに湾曲させて形成し、背面側中央部に裾（６）に向けてスリット（４）を入れたファッション着物。
【請求項２】
前記着物の襟部（１）、褄下（２）及びその下側隅部（２ａ）、裾（６）、長袖の振り口（３）と袖口（５）等の開口部分、及び背面側の裾中央部スリット（４）の全てか、または何れか選択してレースまたはフリル等の装飾布を取り付けるようにした請求項１記載のファッション着物。
【考案の詳細な説明】
【技術分野】
【０００１】
本考案は、歩きやすく、活動しやすく、またファッション性に富んだ着物に関する。
【背景技術】
【０００２】
従来の着物、特に浴衣は、夏の行事（祭り）での着用がほとんどであり、普段着としての機能性が無かったり、おしゃれで着たりすることの自由性がなかった為、着る機会が年々減少傾向にある。特に機能性として、着物の構造上、歩幅が制限されて歩きづらかった。特に浴衣等の直接肌に触れる体と着物の接地面の多い着物の場合、衿、袖口、裾等生地と肌の摩擦により生地が擦れたり肌が擦れたりすることで着物又肌を傷める場合がある。また長袖の振り口より長襦袢が出てきたり、素肌が見えたりする為、長襦袢の振り口を痛めたり見た目の美しさを損なう事があった。
【０００３】
かかる着物の欠点を解消し、ファッション性を向上させる手段がいろいろと提案されている。特許文献１のものは、着物のおくみの縦端縁と裾の横下縁とを湾曲縁に形成し、レースを取り付け、さらに襟にもレースを付け、また袖の外縁を曲線形状にして波型レースを取り付けたものである。また特許文献２のものは、和服長襦袢の襟口、袖口、振り口、裾口などに柄物の装飾を施したものであり、特許文献３のものは、浴衣などの襟口、袖口にフリル、レース、古布などのいずれかを取り付け遊び心、ファッション性を向上させたものである。
【特許文献１】実公平３―２９２８７号公報
【特許文献２】登録実用新案第３０２７４００号公報
【特許文献３】登録実用新案第３１１８９６３号公報
【考案の開示】
【考案が解決しようとする課題】
【０００４】
本考案は、裾、袖口、衿等のファッション性を向上させ、また歩幅が制約されることが無く歩きやすく、しかも裾、袖口、衿等が擦れ難い着物を提供する。
【課題を解決するための手段】
【０００５】
着物の襟部１から下方に伸びる褄下２の下側隅部２ａをなだらかに湾曲させて形成し、背面側の裾中央部にスリット４を入れて歩きやすくした。また前記着物の襟部１、褄下２及びその下側隅部２ａ、裾６、長袖の振り口３と袖口５等の開口部分、及び背面側の裾中央部スリット４の全てか、または何れか選択してレースまたはフリル等の装飾布を取り付け、デザイン性を現代的に向上させた。
【考案の効果】
【０００６】
上記のように構成したから以下のような効果がある。
１．上前褄下の裾部をなだらかな湾曲線にカットすることで裾捌きが良くなり歩行しやすくなる。
２．背縫いの中央裾部にスリットを入れる事により、通常の歩幅と変わらない感覚で歩行が出来る。またこのスリット部にレースまたはフリルを取り付ける事で、従来にないファッションが楽しめ、スリット部より歩行中足が出るため生地及び足の擦れを軽減出来る。
３．洋風なフリル、レースを袖口などに用いるので履物も、ミュール、サンダルといった通常履き慣れている履物との組み合わせが出来る。
４．衿、袖口、裾、褄下、振り口、上前裾角等の各部位の接触面及び後ろ中央裾部位のスリット部位にレース及びフリルの装飾を施す事により着物本体及び肌の擦れによる損傷を軽減出来る。
５．従来着物の袖振り口の開口部から長襦袢や素肌が覗いていた為、その開口部より長襦袢が出てきてしまい、特に振り袖等は振りが長いため長襦袢の振りを痛めてしまう事もあったが開口部をレース状の布で閉じてしまう事により開口部より長襦袢が出てくることを防ぐ事が出来る。
６．振り袖開口部を、レース状の布を用い塞ぐ事で通気性や見た目のオシャレの点でも優れている。また浴衣等の場合、振り袖開口部より素肌が見えていたのを見えづらくする事が出来る為、オシャレの面でも着やすくなる。
【考案を実施するための最良の形態】
【０００７】
着物の襟部１から下方に伸びる褄下２の下側隅部２ａをなだらかに湾曲させて形成し、背面側中央部に裾６に向けてスリット４を入れて歩きやすくした。また前記着物の襟部１、褄下２及びその下側隅部２ａ、裾６、長袖の振り口３、袖口５等の開口部分及び背面側の裾中央部スリット４の全てに、または選択した何れかにレースまたはフリル等の装飾布を装着してデザイン性を現代的に向上させた。
【実施例１】
【０００８】
以下、本考案の好適な実施例を図面に基づき説明する。図１は本考案着物の表側を示し、図２は背面側を示す。着物の襟部１の下端から伸びる褄下２をほぼストレートに形成し、この褄下２の下側隅部２ａは裾６に向かうほど円弧状に湾曲させて形成する。また背面側中央に裾６に向けてスリット４を入れる。
【０００９】
そして更にファッション性を高めるために前述の襟部１、褄下２及びその下側隅部２ａ、裾６、長袖の振り口３、袖口５等の開口部の全てに、または何れか選択してレースまたはフリル等の装飾布を取り付ける。また背面側中央の裾６に向けて形成したスリット４にも同様にレースまたはフリル等の装飾布を装着しても良い。
【図面の簡単な説明】
【００１０】
【図１】本考案、着物の上前を合わせた状態の正面図である。
【図２】図１の着物を広げた状態の背面図である。
【符号の説明】
【００１１】
１  襟部
２  褄下
３  長袖の振り口
４  スリット
５  袖口
６  裾
【図１】
0003124666.tif 000003
【図２】
0003124666.tif 000004
(57)【要約】      （修正有）【課題】レーザープリンタで印字でき、容易に封筒型（袋状）に加工できる個人情報等が記載された情報保護用単票シートを提供する。【解決手段】  縦長情報保護用単票シート１の長さ方向のほぼ中央部に折目線２を設け、それより下部を覆った離型紙４が枠形糊代３で接着されたシール状であり、シート上部にレーザープリンタで印字後、離型紙を剥がすと枠形糊代が現れ、折目線で二つ折りにした上・下部が容易に封筒型（袋状）に一体化できることを特徴とし、さらに開封時、シート下部に設けた開封用切口から開封用ミシンに沿って窓部をスムーズに切り開くことができる。【選択図】図１
0003124683.tif 000002
【実用新案登録請求の範囲】
【請求項１】
縦長情報保護用単票シートの長さ方向のほぼ中央部にシートを横切る折目線を設け、その折目線より下部は四辺に沿って設けた枠形糊代により離型紙で覆われたシール状であり、シートの上部にレーザープリンタで印字後、その印字面を内側にして折目線に沿って上下二つ折りにして糊付けした時に突出するはみ出し部には宛名欄を確保し、シート下部の枠形糊代の内側部分に開封用切口と開封用ミシン目を設けたことを特徴とする封筒型情報保護用単票シート。
【考案の詳細な説明】
【技術分野】
【０００１】
この考案は、給与（賞与）明細書、納品書、請求書その他多種の用途で使用可能な、封筒型情報保護用単票シートに関するものである。
【背景技術】
【０００２】
近年、事務処理のコンピュータ化に伴いレーザープリンタの普及が著しく、個人情報等が記載されて情報保護が必要な伝票も従来の連続タイプから単票シートタイプへと大きく変わり、レーザープリンタでのアウトプットが一般的となってきた。しかし、給与封筒等の袋状になった封筒型のものは、レーザープリンタでは直接印字ができず、ドットプリンタを使用しなければならないという問題があり、印字速度を高めるには難があった。また、圧着シートタイプのものであれば、レーザープリンタで高速印字はできても、袋状にするための圧着機械が必要であるという問題がある。
【特許文献１】特開２００２−１７８６７２号公報
【考案の開示】
【考案が解決しようとする課題】
【０００３】
そこで、この考案は上記のようにドットプリンタや特別な圧着機械を必要とせず、レーザープリンタで高速印字ができ、しかも情報を隠蔽するために容易に封筒型（袋状）に加工できる情報保護用単票シートを提供することを目的とする。
【課題を解決するための手段】
【０００４】
上記の目的を達成するため、この考案では縦長情報保護用単票シートの長さ方向のほぼ中央部に二つ折りのための折目線を設け、その折目線より上部を印字面とし、下部には四辺に沿って枠形糊代を設けて、ここを裏面に剥離層のある離型紙で覆って二つ折りした際、上部のシール部としたものであり、二つ折りした下部の枠形糊代の内側部分に開封用切口と開封用ミシン目からなる開封窓を設けたものである。
【考案の効果】
【０００５】
このようにすれば、シート上部にレーザープリンタで高速に所定事項を印字し、その後離型紙を剥がすと糊が付いた枠部分が現れるので、折り目線に沿って手で上下二つ折りにして枠部分を押さえるだけで簡単に封筒型（袋状）にすることができる。
【０００６】
また、その開封は、シート下部の枠形糊代の内側部分に開封用切口と開封用ミシン目を設けた窓開き型としたため、従来、固定端を切り取って開封するタイプのように切り取りカスも生じないで簡単に開封することができる。糊代には、簡単には剥がれないような粘着力のある強粘着性糊を使用すれば、故意に封口内部をのぞき見しようと剥がしたならば、その痕跡が残る。また、上下二つ折りにする際に、糊代枠囲みよりも小さな紙片等であれば、数枚程度封筒内に同封することも可能である。さらに、窓型開封部の内または外面に地紋を入れる等すれば、印字内容の隠蔽性を一層高めることが可能である。
【考案を実施するための最良の形態】
【０００７】
以下に、この考案の構成を添付図面に示す給与（賞与）明細書としての実施例を参照して詳細に説明する。
【０００８】
図１は、この考案の縦長情報保護用単票シート１（Ａ４サイズ）の印字面を上側にした展開状態を示している。図１において２は、シート１の長さ方向のほぼ中央部に横切るように設けた折目線、３はシート下部の周囲に沿って枠形に形状した糊代であり、４は糊代で固定された裏面に剥離層を施した離型紙を示している。この紙質は、薄手の離型紙または上質紙を使用するが、必ずしもこれに限定されるものではない。
【０００９】
糊代３は、折目線２よりも下部のシートの四辺に沿うように幅約６ｍｍで設けた強粘着性糊の塗布部からなる。この糊代幅は必ずしも約６ｍｍに限定されるものではなく、シートの大きさに応じて適宜設ける。
【００１０】
図２は、図１のシート１を折目線２で印字面を内側にして二つ折りし、離型紙４を剥がし、封筒型に固定した状態を示している。
【００１１】
図２の５は、図１の糊代３の枠囲みよりも約１.５ｍｍ内側に設けたコ字形の開封用ミシン目を示している。このミシン目は、マイクロミシンによるものが望ましい。また、６は開封する際に開封しやすいように設けた開封用切口であり、指でこの切口６をつまんでめくることにより、開封用ミシン目５に沿ってシート下部をきれいに滑らかに開封することができる。７は突出部で、ここに宛名欄を設けることができる。
【００１２】
図２のシートを上下二つ折り状態にする際に、枠形糊代３の領域よりも小さな紙片等のものであれば、数枚程度同封することが可能であり、図３のように窓型開封部８を右開きに開封した際には、上部の印字内容を見ることができるとともに、同封紙片９を取り出して手にすることができる。
【００１３】
なお、窓型開封部８の閉じ片は、右の一辺のみをマイクロミシンではなくそれよりも粗ピッチのミシン目として施したことにより、右開き状態を確保したが、必要に応じて口字形に形成し完全分離させることも勿論可能である。
【産業上の利用可能性】
【００１４】
以上が、この考案の給与（賞与）明細書の例であるが、この考案では情報保護用単票シートから封筒型形状への加工が可能な伝票等であればどのようなもの、例えば請求書等にも適合できる。また、封筒の全体や各部分の大きさ、形状、位置等は適宜変更することが可能であり、封筒型書類を迅速容易に提供できる。
【図面の簡単な説明】
【００１５】
【図１】この考案の情報保護用単票シートの印字面を上側にした状態を示す図
【図２】同情報保護用単票シートを上下二つ折りにして封筒型とした状態を示す図
【図３】図２の封筒型になったシートを開封した状態を示す図
【符号の説明】
【００１６】
１  情報保護用単票シート
２  折目線
３  枠形糊代
４  離型紙
５  開封用ミシン目
６  開封用切口
７  突出部
８  窓型開封部
９  紙片等
【図１】
0003124683.tif 000003
【図２】
0003124683.tif 000004
【図３】
0003124683.tif 000005
(57)【要約】      （修正有）【課題】筆記時に筆記具を３本の指で保持せずに筆記を可能とし、筆記具を手放すことを要せず、同時に軽作業を行うことが可能であり、手及び指の障害等により、筆記が不自由な人にも筆記が可能な筆記具を提供する。【解決手段】指サックの形状及び機能を利用し、伸縮性のある例えばゴム等の材質で構成された指サック状の本体と筆記具とを一体構造とすることで、１本の指に装着して使用することを可能とし、３本の指で保持することを要しない筆記具の構造とする。【選択図】図１
0003124680.tif 000002
【実用新案登録請求の範囲】
【請求項１】
本考案は指サックの形状及び機能を利用し、伸縮性のある例えばゴム等の材質で構成された指サック状の本体と筆記具とを一体構造とすることで、１本の指に装着して使用することを可能とし、３本の指で保持することを要しない筆記具の構造とし、同時に他の軽作業も行うことが可能であることに特徴を有する筆記具。
【請求項２】
ペン先は下側（装着時手のひら側）に位置し、下側に傾斜を設ける構造とし、指が手のひら側に曲がる手の特徴を利用して、書き易さを構造に取り入れた、請求項１の特徴を有する筆記具。
【請求項３】
インクを補充する部分を構造に持つ特徴を有し、使い捨てではない繰り返し使用可能な請求項１及び２の特徴を有する筆記具。
【考案の詳細な説明】
【技術分野】
【０００１】
本考案は、３本の指で保持することを要しないボールペン等の筆記具の構造に関する。
【背景技術】
【０００２】
ボールペン等に代表される筆記具は、一般的に３本の指で保持して書く形状の物が多く、別な作業を行うにあたっては、一度筆記具を手放し、再度筆記等を行うときに筆記具を持つ必要があり作業が品雑となる。
【０００３】
手及び指の障害等により、筆記が不自由な人においては、指で筆記具を保持して筆記することが困難な場合があり、筆記に支障をきたす。また、長時間の使用により疲労が起きる。
【特許文献１】実開平７−３３６８８
【考案の開示】
【考案が解決しようとする課題】
【０００４】
本考案は筆記時に筆記具を３本の指で保持せずに筆記を可能とし、筆記具を手放すことを要せず、同時に軽作業を行うことが可能であり、手及び指の障害等により、少なくとも３本の指で筆記具を保持することができないため、筆記が不自由な人にも筆記が可能な筆記具を提供することを目的とする。
【課題を解決するための手段】
【０００５】
前述の課題を解決するために、本考案は指サックの形状及び機能を利用し、伸縮性のある例えばゴム等の材質で構成された指サック状の本体と筆記具とを一体構造とすることで、１本の指に装着して使用することを可能とし、３本の指で保持することを要しない筆記具の構造とする。
【０００６】
一体構造とする筆記具は、ボールペン又は筆ペン等、筆記を機能にもつものを組み合わせ、さまざまな種類の筆記具を提供可能とする。
【０００７】
ペン先は下側（装着時手のひら側）に位置し、下側に傾斜を設ける構造とし、指が手のひら側に曲がる手の特徴を利用して、書き易さを構造に取り入れた特徴を有する筆記具の構造とする。
【０００８】
また、筆ペン又は万年筆のような、インクを補充する部分を構造に持つ特徴を有し、使い捨てではない繰り返し使用可能な筆記具の構成も可能とする。
【考案の効果】
【０００９】
本考案により、筆記具を指に装着したまま、別な軽作業をすることも可能となり、作業効率が向上する。
【００１０】
障害の内容や程度にもよるが、少なくとも３本の指で筆記具を保持することができないために筆記が困難な、手及び指の不自由な人にも筆記を可能とする。
【考案を実施するための最良の形態】
【００１１】
この考案の実施形態を、図１から図４に示す。
図１に示すように、伸縮性のある例えばゴム等の材質で構成された、指サック状の本体に筆記具を一体化させた本考案の筆記具を、例えば人差し指に装着し筆記する。
【００１２】
図２はボールペンの場合の構造を示したものである。
【００１３】
図３は筆ペンの場合の構造を示したもので、インクを補充する部分を構造に持つことで、使い捨てではない、繰り返し使用することが可能である構造を示したものである。
【００１４】
図４は本考案の筆記具を正面から示したもので、ペン先は下側（装着時手のひら側）に位置し、下側に傾斜を設けている構造を示し、指が手のひら側に曲がる手の特徴を利用し、書き易さを構造に取り入れた特徴を示すものである。
【００１５】
本考案は必要に応じ、複数本の指に装着して使用することも可能である。
【実施例１】
【００１６】
また、作業とメモが交互に必要な作業時において、本考案は効果的である。
【図面の簡単な説明】
【００１７】
【図１】左手人差し指に装着した時を示す図である
【図２】ボールペンの場合の構造を示した図である
【図３】筆ペンの場合の構造を示した図である
【図４】本考案の筆記具を正面から示した図である
【符号の説明】
【００１８】
Ａ  本体
Ｂ  筆記具部
Ｃ  ボールペン部
Ｄ  筆ペン部
Ｅ  インク補充部
Ｆ  ペン先
【図１】
0003124680.tif 000003
【図２】
0003124680.tif 000004
【図３】
0003124680.tif 000005
【図４】
0003124680.tif 000006